(57)【要約】【課題】有機物化合物を効率的かつ持続的に分解する有機化合物の処理方法を提供すること。【解決手段】本発明の有機化合物の処理方法は、有機化合物を含む汚水に、過酸化水素と、フェントン反応を起こすための金属イオン（Ｉ1）を生成し得る化合物（Ａ）とを添加し、フェントン反応により生成するラジカルにより前記有機化合物を酸化分解する有機化合物の処理方法であって、前記汚水に、前記過酸化水素と金属イオン（Ｉ1）との反応で生じた金属イオン（Ｉ2）が金属塩を形成して沈殿する際に化合するカウンターアニオンとは異種のアニオンを生成し得る化合物（Ｂ）を添加し、前記汚水中に、前記汚水に添加した前記化合物（Ａ）における金属イオン（Ｉ1）に対して、前記異種のアニオンを１．５倍当量以上の量で存在させて、前記金属イオン（Ｉ1）および／または金属イオン（Ｉ2）から形成される化合物の沈殿を防止する工程を含むことを特徴とする。【選択図】なし【特許請求の範囲】
【請求項１】
有機化合物を含む汚水に、過酸化水素と、フェントン反応を起こすための金属イオン（Ｉ1）を生成し得る化合物（Ａ）とを添加し、フェントン反応により生成するラジカルにより前記有機化合物を酸化分解する有機化合物の処理方法であって、
前記汚水に、前記過酸化水素と金属イオン（Ｉ1）との反応で生じた金属イオン（Ｉ2）が金属塩を形成して沈殿する際に化合するカウンターアニオンとは異種のアニオンを生成し得る化合物（Ｂ）を添加し、
前記汚水中に、前記汚水に添加した前記化合物（Ａ）における金属イオン（Ｉ1）に対して、前記異種のアニオンを１．５倍当量以上の量で存在させて、前記金属イオン（Ｉ1）および／または金属イオン（Ｉ2）から形成される化合物の沈殿を防止する工程を含むことを特徴とする有機化合物の処理方法。
【請求項２】
前記フェントン反応を起こすための金属イオン（Ｉ1）を生成し得る化合物（Ａ）が、Ｆｅ2+を生成し得る鉄（ＩＩ）塩（ａ1）であり、前記フェントン反応により生成するラジカルがヒドロキシラジカルであることを特徴とする請求項１に記載の処理方法。
【請求項３】
前記過酸化水素と、フェントン反応を起こすための金属イオン（Ｉ1）を生成し得る化合物（Ａ）とを添加した有機化合物を含む汚水のｐＨを１〜５に調整し、フェントン反応により生成するラジカルにより前記有機化合物を酸化分解することを特徴とする請求項１または２に記載の処理方法。
【請求項４】
前記有機化合物を含む汚水が、酸性基を有するカチオン交換樹脂およびアニオン交換樹脂を含む廃水であり、
前記有機化合物である前記酸性基を有するカチオン交換樹脂が、前記異種のアニオンを生成し得る化合物（Ｂ）と同一であり、ヒドロキシラジカルにより酸化分解されて、前記異種のアニオンとして酸性基由来のアニオンを生成し得るカチオン交換樹脂である
ことを特徴とする請求項１〜３のいずれか１項に記載の有機化合物の処理方法。
【請求項５】
前記有機化合物を含む汚水が、染料を含む染色排水であり、
前記異種のアニオンを生成し得る化合物（Ｂ）が、硫酸塩、硝酸塩、塩化物塩および炭酸塩の少なくとも１種を含む
ことを特徴とする請求項１〜３のいずれか１項に記載の有機化合物の処理方法。
【請求項６】
前記異種のアニオンを生成し得る化合物（Ｂ）が、硫酸塩、硝酸塩、塩化物塩および炭酸塩の少なくとも１種を含むことを特徴とする請求項１〜３のいずれか１項に記載の処理方法。
【請求項７】
前記異種のアニオンを生成し得る化合物（Ｂ）が、スルホ基、ニトロ基、クロロ基およびカルボキシル基の少なくとも１種を有する有機化合物を含むことを特徴とする請求項１〜３のいずれか１項に記載の処理方法。
【発明の詳細な説明】
【技術分野】
【０００１】
本発明は、フェントン反応による有機化合物の処理方法に関する。より詳しくは、本発明は、有機化合物を含む汚水に、過酸化水素と、フェントン反応を起こすための金属イオンを生成し得る化合物とを添加し、フェントン反応により生成するラジカルにより上記有機化合物を酸化分解する有機化合物の処理方法に関する。
【背景技術】
【０００２】
近年の水資源利用に対する関心の高まりを受け、生活排水や工業廃水、畜産排水等に含まれる有機化合物の処理は重要度を増してきている［特許文献１、非特許文献１、２など］。たとえば、アトラジンや１，４−ジオキサンなどの有機化合物は、除草剤や洗剤として一般に用いられているが、このような難分解性の有機化合物は、従来の生物処理やオゾン酸化法、活性炭吸着法等では分解が困難であり、水環境汚染の原因になることが指摘されている［特許文献２、非特許文献３など］。
【０００３】
一方、過酸化水素と金属イオン触媒を原料として反応性の高いラジカルを生成するフェントン反応は、前記ラジカルが強い酸化力を有するため、難分解性の有機化合物を酸化分解する方法として注目されている。同法は、低温で、かつ簡便な設備で実行可能であること、分解の過程でＮＯｘやＳＯｘ等の有害ガスを放出しないことなど、従来の方法に比べ多数の利点がある［非特許文献４〜８など］。また、先述したアトラジンや１，４−ジオキサンはもとより、各種アルコール、アルデヒド、芳香族化合物、アミン類、ケトン類など、様々な種類の有機化合物を酸化分解することが可能である［非特許文献９など］。
【０００４】
しかしながら、フェントン反応を用いた酸化分解法は、過酸化水素からラジカルを生成するための触媒として添加した金属イオンが金属塩として沈殿し、結果的に廃棄物量の増大に繋がることが問題視されていた［非特許文献１０、１１など］。たとえば、特許文献３、４には、フェントン反応の触媒である金属イオンを沈殿・除去する中和槽と沈殿槽とにより廃棄物を処理することが記載されている。このように、フェントン反応を用いた酸化分解法に関する技術では、フェントン反応の触媒である金属イオンを沈殿除去する方法や、沈殿した触媒の再利用方法など、酸化分解後の処理にスポットが当てられている。
【先行技術文献】
【特許文献】
【０００５】
【特許文献１】特開２００８−２２９４５０号公報
【特許文献２】特開２００５−５８８５４号公報
【特許文献３】特開２００３−３０００８３号公報
【特許文献４】特開平６−１８２３６２号公報
【非特許文献】
【０００６】
【非特許文献１】Ｄ．  Ｆ．  Ｂｉｓｈｏｐ，  Ｇ．  Ｓｔｅｒｎ，  Ｍ．  Ｆｌｅｉｓｃｈｍａｎ  ａｎｄ  Ｌ．  Ｓ．  Ｍａｒｓｈａｌｌ，  Ｈｙｄｒｏｇｅｎ  ｐｅｒｏｘｉｄｅ  ｃａｔａｌｙｔｉｃ  ｏｘｉｄａｔｉｏｎ  ｏｆ  ｒｅｆｒａｃｔｏｒｙ  ｏｒｇａｎｉｃｓ  ｉｎ  ｍｕｎｉｃｉｐａｌ  ｗａｓｔｅｗａｔｅｒｓ，  Ｉｎｄ．  Ｅｎｇ．  Ｐｒｏｃｅｓｓ  Ｄｅｓ．  Ｄｅｖ．，１９６８，７（１），１１０−１１７
【非特許文献２】Ｍ．  Ｍｕｒｕｇａｎａｎｄｈａｍ  ａｎｄ  Ｍ．  Ｓｗａｍｉｎａｔｈａｎ，  Ｄｅｃｏｌｏｕｒｉｓａｔｉｏｎ  ｏｆ  Ｒｅａｃｔｉｖｅ  Ｏｒａｎｇｅ  ４  ｂｙ  Ｆｅｎｔｏｎ  ａｎｄ  ｐｈｏｔｏ−Ｆｅｎｔｏｎ  ｏｘｉｄａｔｉｏｎ  ｔｅｃｈｎｏｌｏｇｙ，  Ｄｙｅｓ  Ｐｉｇｍ．，２００４，６３，３１５−３２１
【非特許文献３】Ａ．  Ｖｅｎｔｕｒａ，  Ｇ．  Ｊａｃｑｕｅｔ，  Ａ．  Ｂｅｒｍｏｎｄ  ａｎｄ  Ｖ．  Ｃａｍｅｌ，  Ｅｌｅｃｔｒｏｃｈｅｍｉｃａｌ  ｇｅｎｅｒａｔｉｏｎ  ｏｆ  ｔｈｅ  Ｆｅｎｔｏｎ’ｓ  ｒｅａｇｅｎｔ：  ａｐｐｌｉｃａｔｉｏｎ  ｔｏ  ａｔｒａｚｉｎｅ  ｄｅｇｒａｄａｔｉｏｎ，  Ｗａｔｅｒ  Ｒｅｓ．，２００２，３６，３５１７−３５２２
【非特許文献４】Ｘ．  Ｊｉａｎ，  Ｔ．  Ｗｕ  ａｎｄ  Ｇ．  Ｙｕｎ，  Ａ  ｓｔｕｄｙ  ｏｆ  ｗｅｔ  ｃａｔａｌｙｔｉｃ  ｏｘｉｄａｔｉｏｎ  ｏｆ  ｒａｄｉｏａｃｔｉｖｅ  ｓｐｅｎｔ  ｉｏｎ  ｅｘｃｈａｎｇｅ  ｒｅｓｉｎ  ｂｙ  ｈｙｄｒｏｇｅｎ  ｐｅｒｏｘｉｄｅ，  Ｎｕｃｌ．  Ｓａｆｅｔｙ，１９９６，３７（２），１４９−１５７
【非特許文献５】Ｊ．  Ｐ．  Ｗｉｌｋｓ  ａｎｄ  Ｎ．  Ｓ．  Ｈｏｌｔ，  Ｗｅｔ  ｏｘｉｄａｔｉｏｎ  ｏｆ  ｍｉｘｅｄ  ｏｒｇａｎｉｃ  ａｎｄ  ｉｎｏｒｇａｎｉｃ  ｒａｄｉｏａｃｔｉｖｅ  ｓｌｕｄｇｅ  ｗａｓｔｅｓ  ｆｒｏｍ  ａ  ｗａｔｅｒ  ｒｅａｃｔｏｒ，  Ｗａｓｔｅ  Ｍａｎａｇｅ．，  １９９０，１０，１９７−２０３
【非特許文献６】Ｍ．  Ｖｉｌｖｅ，  Ａ．  Ｈｉｒｖｏｎｅｎ  ａｎｄ  Ｍ．  Ｓｉｌｌａｎｐａａ，  Ｅｆｆｅｃｔｓ  ｏｆ  ｒｅａｃｔｉｏｎ  ｃｏｎｄｉｔｉｏｎｓ  ｏｎ  ｎｕｃｌｅａｒ  ｌａｕｎｄｒｙ  ｗａｔｅｒ  ｔｒｅａｔｍｅｎｔ  ｉｎ  Ｆｅｎｔｏｎ  ｐｒｏｃｅｓｓ，  Ｊ．  Ｈａｚａｒｄ．  Ｍａｔｅｒ．，２００９，１６４，１４６８−１４７３
【非特許文献７】出水  丈志，  萩原  正弘，  大津  孝，  稲川  博文，  荒井  正幸，  放射性使用済イオン交換樹脂処理方法の開発，  エバラ時報，２００８，２１８，２９−３４
【非特許文献８】Ｃ．  Ｓｒｉｎｉｖａｓ，  Ｇ．  Ｓｕｇｉｌａｌ  ａｎｄ  Ｐ．  Ｋ．  Ｗａｔｔａｌ，  Ｍａｎａｇｅｍｅｎｔ  ｏｆ  ｓｐｅｎｔ  ｏｒｇａｎｉｃ  ｉｏｎ−ｅｘｃｈａｎｇｅ  ｒｅｓｉｎｓ  ｂｙ  ｐｈｏｔｏｃｈｅｍｉｃａｌ  ｏｘｉｄａｔｉｏｎ，  Ｐｒｏｃ．  Ｗａｓｔｅ  Ｍａｎａｇｅｍｅｎｔ  ’０３  Ｃｏｎｆ．，  Ｆｅｂ．  ２３−２７，２００３
【非特許文献９】Ｒ．  Ｊ．  Ｂｉｇｄａ，  Ｃｏｎｓｉｄｅｒ  Ｆｅｎｔｏｎ’ｓ  ｃｈｅｍｉｓｔｒｙ  ｆｏｒ  ｗａｓｔｅｗａｔｅｒ  ｔｒｅａｔｍｅｎｔ，  Ｃｈｅｍ．  Ｅｎｇ．  Ｐｒｏｇ．，  １９９５  Ｄｅｃ，６２−６６
【非特許文献１０】Ｇ．−ｍ．  Ｃａｏ，  Ｍ．  Ｓｈｅｎｇ，  Ｗ．−ｆ．  Ｎｉｕ，  Ｙ．−ｌ．  Ｆｅｉ  ａｎｄ  Ｄ．  Ｌｉ，  Ｒｅｇｅｎｅｒａｔｉｏｎ  ａｎｄ  ｒｅｕｓｅ  ｏｆ  ｉｒｏｎ  ｃａｔａｌｙｓｔ  ｆｏｒ  Ｆｅｎｔｏｎ−ｌｉｋｅ  ｒｅａｃｔｉｏｎｓ，  Ｊ．  Ｈａｚａｒｄ．  Ｍａｔｅｒ．，  ２００９，１７２，１４４６−１４４９
【非特許文献１１】林  寛一，  中島  陽一，  太田  清久，  酸化鉄を用いる環境中有機化合物分解法の開発，  大阪府立産業技術総合研究所報告，  ２００７，２１，７９−８３
【発明の概要】
【発明が解決しようとする課題】
【０００７】
本発明の目的は、フェントン反応に用いる金属イオン触媒の沈殿を防ぎ、有機物化合物を効率的かつ持続的に分解する有機化合物の処理方法を提供することにある。
【課題を解決するための手段】
【０００８】
本発明の有機化合物の処理方法は、有機化合物を含む汚水に、過酸化水素と、フェントン反応を起こすための金属イオン（Ｉ1）を生成し得る化合物（Ａ）とを添加し、フェントン反応により生成するラジカルにより上記有機化合物を酸化分解する有機化合物の処理方法であって、上記汚水に、上記過酸化水素と金属イオン（Ｉ1）との反応で生じた金属イオン（Ｉ2）が金属塩を形成して沈殿する際に化合するカウンターアニオンとは異種のアニオンを生成し得る化合物（Ｂ）を添加し、上記汚水中に、上記汚水に添加した上記金属イオン（Ｉ1）を生成し得る化合物（Ａ）における金属イオン（Ｉ1）に対して、上記異種のアニオンを１．５倍当量以上の量で存在させて、上記金属イオン（Ｉ1）および／または金属イオン（Ｉ2）から形成される化合物の沈殿を防止する工程を含むことを特徴とする。
【発明の効果】
【０００９】
本発明の有機化合物の処理方法によれば、金属イオン触媒の沈殿を非常に効果的に抑制することができる。そのため、フェントン試薬として用いる金属イオン触媒の添加量を低減し、かつ、フェントン反応による有機化合物の分解処理においてしばしば発生するスラッジ等の沈殿物の量を劇的に低減することが可能である。
【００１０】
また、本発明は、染色排水の脱色、難分解性有機物を含む廃水の分解処理、原子力施設での使用済みイオン交換樹脂の分解処理など、多様な種類の有機化合物の酸化分解処理に対して充分に効果を発揮する。
【００１１】
さらに、本発明は、従来法においてフェントン反応による分解工程としばしば併用されているスラッジ等の沈殿物の除去工程の負荷を低減し、経済性の大幅な向上に寄与するものである。
【図面の簡単な説明】
【００１２】
【図１】図１は、実施例２−１〜２−５および比較例２−１の結果を説明するための図である。
【発明を実施するための形態】
【００１３】
本発明の有機化合物の処理方法は、有機化合物を含む汚水に、過酸化水素と、フェントン反応を起こすための金属イオン（Ｉ1）を生成し得る化合物（Ａ）とを添加し、フェントン反応により生成するラジカルにより上記有機化合物を酸化分解する有機化合物の処理方法である。
【００１４】
フェントン反応により酸化分解できる有機化合物としては、ギ酸、グルコン酸、乳酸等の有機酸；ベンジルアルコール、ターシャルブチルアルコール、グリセロール等のアルコール；アセトアルデヒド、ベンズアルデヒド、ホルムアルデヒド等のアルデヒド；ベンゼン、クロロベンゼン、クロロフェノール等の芳香族化合物；アニリン、環状アミン、ジエチルアミン等のアミン；アントラキノン、ジアゾ、モノアゾ等の染料；テトラヒドロフラン等のエーテル；ジヒドロキシアセトン、メチルエチルケトン等のケトン；カチオン交換樹脂、アニオン交換樹脂等のイオン交換樹脂などが挙げられる。有機化合物は汚水中に１種含まれていてもよく、２種以上含まれていてもよい。
【００１５】
上記汚水としては、上記有機化合物を含む生活排水、工業廃水が挙げられ、該工業廃水としては、具体的には染色排水、畜産排水、原子力施設等での水処理に用いたイオン交換樹脂を含む廃水などが挙げられる。
【００１６】
上記化合物（Ａ）としては、Ｆｅ2+を生成し得る鉄（ＩＩ）塩（ａ1）が好適に用いられる。以下、化合物（Ａ）の例としてＦｅ2+を生成し得る鉄（ＩＩ）塩（ａ1）を用いて説明する。Ｆｅ2+を生成し得る鉄（ＩＩ）塩（ａ1）としては、硫酸第一鉄（ＦｅＳＯ4）、フマル酸第一鉄、シュウ酸第一鉄、塩化第一鉄、クエン酸第一鉄ナトリウム、グルコン酸第一鉄、クエン酸第一鉄、オロチン酸第一鉄、酢酸第一鉄、これらの水和物などが挙げられる。Ｆｅ2+を生成し得る鉄（ＩＩ）塩（ａ1）は単独で用いてもよく、２種以上組み合わせて用いてもよい。
【００１７】
この場合、フェントン反応により生成するラジカルはヒドロキシラジカル（・ＯＨ）である。すなわち、フェントン反応とは、下記式（１）のように、過酸化水素と、鉄（ＩＩ）塩（ａ1）由来のＦｅ2+とから強い酸化力を有するヒドロキシラジカルが生成する反応である。
【００１８】
Ｈ2Ｏ2  ＋  Ｆｅ2+  →  Ｆｅ3+  ＋  ＯＨ-  ＋  ・ＯＨ      （１）
このヒドロキシラジカルは、有機化合物が最終的に炭酸ガス（ＣＯ2）となるまで分解できる。
【００１９】
本発明の有機化合物の処理方法は、上記汚水に、過酸化水素と金属イオン（Ｉ1）との反応で生じた金属イオン（Ｉ2）が金属塩を形成して沈殿する際に化合するカウンターアニオンとは異種のアニオンを生成し得る化合物（Ｂ）を添加し、上記汚水中に、汚水に添加した上記化合物（Ａ）における金属イオン（Ｉ1）に対して、上記異種のアニオンを１．５倍当量（化学当量）以上の量で存在させて、金属イオン（Ｉ1）および／または金属イオン（Ｉ2）から形成される化合物の沈殿を防止する工程を含む。具体的には、上記有機化合物の処理方法は、上記汚水に、過酸化水素とＦｅ2+との反応で生じたＦｅ3+が金属塩Ｆｅ（ＯＨ）3を形成して沈殿する際に化合するカウンターアニオンであるヒドロキシアニオン（ＯＨ-）とは異種のアニオンを生成し得る化合物（Ｂ）を添加し、上記汚水中に、汚水に添加した上記鉄（ＩＩ）塩（ａ1）におけるＦｅ2+に対して、上記異種のアニオンを１．５倍当量以上の量で存在させて、Ｆｅ2+および／またはＦｅ3+から形成される化合物の沈殿を防止する工程を含む。
【００２０】
従来のフェントン反応を利用した有機化合物の処理方法では、たとえば下記式（２）のように、過酸化水素とＦｅ2+との反応で生じたＦｅ3+が金属塩Ｆｅ（ＯＨ）3を形成して沈殿するという問題があった。
【００２１】
Ｆｅ3+  ＋  ３ＯＨ-  →  Ｆｅ（ＯＨ）3↓      （２）
また、上記式（１）で表されるフェントン反応に続いていろいろな反応が起こると考えられている。それらの反応によりＦｅ2+および／またはＦｅ3+が酸化鉄を形成して沈殿するという問題もあった。このようにＦｅ（ＯＨ）3および酸化鉄の沈殿物（スラッジ）が生じ始めると酸化分解が進まなくなるため、処理を続けるには、さらに過酸化水素および鉄（ＩＩ）塩（ａ1）を加える必要が生ずる。結果として大量の沈殿物が発生し、効率よく有機化合物を処理することは困難であった。
【００２２】
本発明では、上述のように上記汚水に化合物（Ｂ）を添加し、上記汚水中に上記異種のアニオンを特定の量以上で存在させる工程により、この問題を解決している。具体的には、上記汚水に化合物（Ｂ）を添加し、ヒドロキシアニオン（ＯＨ-）とは異種のアニオンを生成させる。そして、上記汚水中に、汚水に添加した上記鉄（ＩＩ）塩（ａ1）におけるＦｅ2+に対して、上記異種のアニオンを１．５倍当量以上の量で存在させて、Ｆｅ（ＯＨ）3等の沈殿を防止できる。なお、Ｆｅ（ＯＨ）3等の沈殿が防止できるのは、いわゆる異種イオン効果により、Ｆｅ（ＯＨ）3の溶解度が上昇するためと考えられる。
【００２３】
また、上記式（１）でＦｅ3+が生成した後、汚水中ではＦｅ3+からＦｅ2+への変換が起こると考えられる。なお、この変換は、以下の式（１−１）〜（１−５）で表わされる汚水中での反応によると考えられる。
【００２４】
Ｆｅ3+  ＋  Ｈ2Ｏ2  →  ＦｅＯＯＨ2+  ＋  Ｈ+  （１−１）
ＦｅＯＯＨ2+  →  Ｆｅ2+  ＋  ・ＯＨ2  （１−２）
Ｈ2Ｏ2  ＋  ・ＯＨ  →  ・ＯＨ2  ＋  Ｈ2Ｏ  （１−３）
Ｆｅ2+  ＋  ・ＯＨ2  →  Ｆｅ3+  ＋  ＨＯ2c  （１−４）
Ｆｅ3+  ＋  ・ＯＨ2  →  Ｆｅ2+  ＋  Ｏ2  ＋  Ｈ+  （１−５）
そして、Ｆｅ3+から変換されたＦｅ2+と過酸化水素とからヒドロキシラジカルが新たに生成すると考えられる。このように、本発明では、上記工程を採用したことにより、沈殿物の発生が抑制でき、Ｆｅ3+からＦｅ2+への変換が起こるため、従来の有機化合物の処理方法よりも、長時間処理を続けられる。結果として、鉄（ＩＩ）塩（ａ1）の添加量が少なくて済み、効率よく有機化合物を処理できる。
【００２５】
沈殿を効果的に防止させるためには、上記異種のアニオンを好ましくは１．５〜２０倍当量の量で存在させることが望ましい。
【００２６】
また、上記工程では、上記異種のアニオンを生成し得る化合物（Ｂ）は、汚水に対して、有機化合物の酸化分解を開始する前に、過酸化水素と、上記鉄（ＩＩ）塩（ａ1）とともに添加してもよく、あるいは、より具体的には過酸化水素または上記鉄（ＩＩ）塩（ａ1）よりも先に添加しておいてもよい。また、上記沈殿物の生成が有機化合物の酸化分解に対して問題とならない状態を維持できるのであれば、化合物（Ｂ）は、有機化合物の酸化分解を開始してから添加してもよい。さらに、上記異種のアニオンは、有機化合物の酸化分解を行っている間に生成すればよく、有機化合物の酸化分解を行っている間に上記の量で存在すればよい。すなわち、上記沈殿物の生成が有機化合物の酸化分解に対して問題とならない状態を維持できていればよい。
【００２７】
また、本発明において、過酸化水素と、フェントン反応を起こすための金属イオン（Ｉ1）を生成し得る化合物（Ａ）とを添加した有機化合物を含む汚水のｐＨは、好ましくは１〜５、より好ましくは１〜３に調整し、フェントン反応により生成するラジカルにより有機化合物を酸化分解することが望ましい。ｐＨが上記範囲にあると、ヒドロキシラジカルの発生を促進できる。また、有機化合物の酸化分解を行っている間中、ｐＨを上記範囲にしておくことが好ましい。
【００２８】
上記異種のアニオンを生成し得る化合物（Ｂ）は、好ましくは硫酸塩、硝酸塩、塩化物塩および炭酸塩の少なくとも１種を含む。化合物（Ｂ）は単独で用いてもよく、２種以上組み合わせて用いてもよい。これらの化合物（Ｂ）を用いた場合、生成する異種のアニオンは、硫酸イオン（ＳＯ42-）、硝酸イオン（ＮＯ3-）、塩化物イオン（Ｃｌ-）、炭酸イオン（ＣＯ32-）である。
【００２９】
具体的には、硫酸塩としては、硫酸ナトリウム、硫酸カリウム、硫酸マグネシウムが挙げられる。硝酸塩としては、硝酸ナトリウム、硝酸カリウム、硝酸マグネシウムが挙げられる。塩化物塩としては、塩化ナトリウム、塩化カリウム、塩化マグネシウムが挙げられる。炭酸塩としては、炭酸ナトリウム、炭酸カリウム、炭酸マグネシウムが挙げられる。
【００３０】
また、上記異種のアニオンを生成し得る化合物（Ｂ）は、スルホ基、ニトロ基、クロロ基およびカルボキシル基の少なくとも１種を有する有機化合物を含むことも好ましい。
【００３１】
このような化合物（Ｂ）を用いると、化合物（Ｂ）の添加によって異種アニオンが速やかに生成し、沈殿物の生成が抑制されて、有機物化合物を効率的かつ持続的に分解できる利点がある。
【００３２】
また、上記工程において、汚水のｐＨを上記範囲に調整するために、硫酸、硝酸、塩酸、苛性ソーダ等のｐＨ調整剤を添加してもよい。なお、上記汚水中に存在させる上記異種のアニオンの量には、ｐＨ調整剤に由来するアニオンの量は含めない。いいかえると、上記汚水中に存在させる上記異種のアニオンの量は、化合物（Ａ）および化合物（Ｂ）に由来するアニオンの合計量を意味する。
【００３３】
さらに、上記工程において、Ｆｅ2+および／またはＦｅ3+から形成される化合物の沈殿を防止する効果に影響を及ぼさない範囲で、汚水にオイル系、シリコン系、ポリマー系の消泡剤等を添加してもよい。
【００３４】
以下に、本発明のさらに具体的な実施態様について説明する。
【００３５】
＜実施態様１＞
本発明の実施態様１では、上記有機化合物を含む汚水が、染料を含む染色排水であり、上記異種のアニオンを生成し得る化合物（Ｂ）が、硫酸塩、硝酸塩、塩化物塩および炭酸塩の少なくとも１種を含む。すなわち、本発明の実施態様１は、染料を含む染色排水に、過酸化水素と、Ｆｅ2+を生成し得る鉄（ＩＩ）塩（ａ1）とを添加し、フェントン反応により生成するヒドロキシラジカルにより上記染料を酸化分解する有機化合物の処理方法であって、上記染色排水に、上記過酸化水素とＦｅ2+との反応で生じたＦｅ3+が金属塩Ｆｅ（ＯＨ）3を形成して沈殿する際に化合するヒドロキシラジカルとは異種のアニオンを生成し得る化合物（Ｂ）を添加し、上記排水中に、上記排水に添加した上記鉄（ＩＩ）塩（ａ1）におけるＦｅ2+に対して、上記異種のアニオンを１．５倍当量以上の量で存在させて、上記Ｆｅ2+および／またはＦｅ3+から形成される化合物の沈殿を防止する工程を含む。
【００３６】
染料を含む染色排水としては、使用済みのアゾ系、アントラキノン系、フタロシアニン系などの染料を含む排水が挙げられる。
【００３７】
鉄（ＩＩ）塩（ａ1）としては、排水に添加したときにＦｅ2+を生成し得る化合物であればよく、化合物（Ｂ）としては、排水に添加したときにヒドロキシラジカルとは異種のアニオンを生成し得る化合物であればよいが、具体的には上述した化合物が挙げられる。
【００３８】
本発明の実施形態１では、より詳細には、反応槽に排水を供給し、さらに過酸化水素と、Ｆｅ2+を生成し得る鉄（ＩＩ）塩（ａ1）と、異種のアニオンを生成し得る化合物（Ｂ）とを添加する。これにより、排水中で、鉄（ＩＩ）塩（ａ1）からＦｅ2+が生成し、次いでヒドロキシラジカルが発生し、染料の酸化分解が開始する。
【００３９】
ここで、効率よく染料を酸化分解させるため、反応槽中の排水を攪拌することも好ましい。また、染料の酸化分解処理は、１０〜４０℃で行うことが好ましく、２０〜３０℃で行うことがより好ましい。
【００４０】
染色排水のＣＯＤ（化学的酸素要求量）は、通常、０．１〜１０ｇ／Ｌである。
【００４１】
Ｆｅ2+を生成し得る鉄（ＩＩ）塩（ａ1）は、排水１Ｌに対して０．１〜１０ｇの量で添加することが好ましい。
【００４２】
過酸化水素は、排水の量に応じて適宜好ましい量で添加すればよいが、２〜７０ｗ／ｖ％の過酸化水素水として添加することが好ましく、３０〜７０ｗ／ｖ％の過酸化水素水として添加することがより好ましい。
【００４３】
また、フェントン反応の効率を高めるため、排水のｐＨは、好ましくは１〜５、より好ましくは１〜３に調整することが望ましい。ｐＨを調整するため、たとえば硫酸、硝酸、塩酸などを添加する。また、染料の酸化分解処理を行っている間中、ｐＨを上記範囲になるよう調整することが好ましい。さらに、排水を予めｐＨ調整してから反応槽に供給してもよい。
【００４４】
化合物（Ｂ）は、鉄（ＩＩ）塩（ａ1）におけるＦｅ2+に対して、上記異種のアニオンを１．５倍当量以上の量で、好ましくは２〜１００倍当量、より好ましくは２〜２０倍当量の量で異種のアニオンが存在できるような量で添加する。なお、化合物（Ｂ）の添加により、排水中で異種のアニオンが速やかに生成するが、この異種アニオンには、鉄（ＩＩ）塩（ａ1）から生成する異種アニオンも含まれる（ただし、ｐＨを調整するために添加した硫酸などから生成するアニオンは含めない）。したがって、排水中にこれらの異種アニオンの合計量が上記範囲で存在するように、化合物（Ｂ）を添加することが好ましい。
【００４５】
実施形態１では、排水中に異種アニオンが存在し、Ｆｅ2+および／またはＦｅ3+から形成される化合物、すなわちＦｅ（ＯＨ）3および酸化鉄の沈殿が防止できるため、染料の酸化処理を長時間持続できる。上記濃度で染料を含む排水であれば、通常１〜２時間処理を行うと充分に染料が分解できるが、実施形態１によれば、この間スラッジの沈殿が抑えられるため、効率よく廃水処理が行える。
【００４６】
なお、排水、過酸化水素およびＦｅ2+を生成し得る鉄（ＩＩ）塩（ａ1）は、上述のように反応槽に一度に供給してもよいが、複数回に分けて供給したり、連続的に供給したりしてもよい。この場合も、染料、過酸化水素およびＦｅ2+を生成し得る鉄（ＩＩ）塩（ａ1）それぞれの合計量が上述した量となるように供給されることが好ましい。
【００４７】
また、異種のアニオンを生成し得る化合物（Ｂ）は、上述のように、染料の酸化処理を開始する前に、過酸化水素およびＦｅ2+を生成し得る鉄（ＩＩ）塩（ａ1）とともに反応槽に添加してもよいが、上記沈殿物の生成が染料の酸化分解に対して問題とならない状態を維持できるのであれば、染料の酸化処理を開始してから添加してもよい。また、異種のアニオンを生成し得る化合物（Ｂ）は、上述のように反応槽に一度に供給してもよいが、上記沈殿物の生成が染料の酸化分解に対して問題とならない状態を維持できるのであれば、複数回に分けて供給したり、連続的に供給したりしてもよい。いいかえると、少なくとも染料の酸化処理を終了する前に、上記異種のアニオンが上記の量で存在するように添加されればよい。
【００４８】
＜実施形態２＞
本発明の実施態様２では、上記有機化合物を含む廃水が、酸性基を有するカチオン交換樹脂およびアニオン交換樹脂を含む廃水であり、上記有機化合物である上記酸性基を有するカチオン交換樹脂が、上記異種のアニオンを生成し得る化合物（Ｂ）と同一であり、ヒドロキシラジカルにより酸化分解されて、上記異種のアニオンとして酸性基由来のアニオンを生成し得るカチオン交換樹脂である。すなわち、本発明の実施態様２は、酸性基を有するカチオン交換樹脂およびアニオン交換樹脂を含む廃水に、過酸化水素と、Ｆｅ2+を生成し得る鉄（ＩＩ）塩（ａ1）とを添加し、フェントン反応により生成するヒドロキシラジカルにより上記カチオン交換樹脂およびアニオン交換樹脂を酸化分解する有機化合物の処理方法である。ここで、上記廃水中に、上記過酸化水素とＦｅ2+との反応で生じたＦｅ3+が金属塩Ｆｅ（ＯＨ）3を形成して沈殿する際に化合するヒドロキシラジカルとは異種のアニオンであって、かつカチオン交換樹脂が有する酸性基由来のアニオンを生成させ、上記廃水中に、上記廃水に添加した上記鉄（ＩＩ）塩（ａ1）におけるＦｅ2+に対して、上記異種のアニオンを１．５倍当量以上の量で存在させて、上記Ｆｅ2+および／またはＦｅ3+から形成される化合物の沈殿を防止する工程を含む。
【００４９】
廃水は、使用済みの酸性基を有するカチオン交換樹脂および塩基性基を有するアニオン交換樹脂を含む。これらのイオン交換樹脂基体は、たとえばスチレンとジビニルベンゼンとの共重合体である。カチオン交換樹脂が有する酸性基としては、たとえばスルホン酸基（−ＳＯ3-）である。なお、原子力施設では、水処理などに使用したカチオン交換樹脂およびアニオン交換樹脂を同じ貯蔵槽に貯めておくことが多い。実施形態２によれば、このように両者が混合して貯蔵されている交換樹脂を効率よく処理できる。また、貯蔵されている交換樹脂は難分解性であるため、従来、焼却などにより処理されているが、焼却法では窒素酸化物（ＮＯｘ）や硫黄酸化物（ＳＯｘ）等の有害ガスが発生する問題があった。一方、フェントン反応による酸化分解では、これら有害ガスを発生させることなく交換樹脂を処理することができる。
【００５０】
鉄（ＩＩ）塩（ａ1）としては、廃水に添加したときにＦｅ2+を生成し得る化合物であればよく、具体的には上述した化合物が挙げられる。
【００５１】
本発明の実施形態２では、より詳細には、反応槽に使用済みのカチオン交換樹脂およびアニオン交換樹脂を含む廃水を供給し、さらに過酸化水素と、Ｆｅ2+を生成し得る鉄（ＩＩ）塩（ａ1）とを添加する。これにより、汚水中で、鉄（ＩＩ）塩（ａ1）からＦｅ2+が生成し、次いでヒドロキシラジカルが発生し、カチオン交換樹脂およびアニオン交換樹脂の酸化分解が開始する。このカチオン交換樹脂の酸化分解により、廃水中に、酸性基由来の異種アニオン、たとえばスルホン酸基（−ＳＯ3-）由来の硫酸イオンが生成する。
【００５２】
ここで、効率よくカチオン交換樹脂およびアニオン交換樹脂を酸化分解させるため、反応槽中の廃水を攪拌することも好ましい。また、カチオン交換樹脂およびアニオン交換樹脂の酸化分解処理は、９０〜１１０℃で行うことが好ましい。
【００５３】
原子力発電所の実際の廃棄物は、カチオン交換樹脂、アニオン交換樹脂およびクラッド等の固体と液体とが混在した状態で貯蔵タンクに入っている。廃水処理時、固体の濃度は通常１０〜２００ｇ／Ｌに調整され、反応槽に供給される。また、通常カチオン交換樹脂は３０〜７０質量％、好ましくは４０〜６０質量％の量で、アニオン交換樹脂は３０〜７０質量％、好ましくは４０〜６０質量％の量で含まれる。ここで、カチオン交換樹脂およびアニオン交換樹脂の合計量を１００質量％とする。アニオン交換樹脂の比率が高くなるにつれて本発明によるＦｅ（ＯＨ）3の沈殿防止の効果が得られる。
【００５４】
Ｆｅ2+を生成し得る鉄（ＩＩ）塩（ａ1）は、カチオン交換樹脂およびアニオン交換樹脂を含む廃水１Ｌに対して０．００１〜０．１ｍｏｌの量で添加することが好ましく、０．００５〜０．０２ｍｏｌの量で添加することがより好ましい。
【００５５】
過酸化水素は、廃水に含まれるイオン交換樹脂の量に応じて適宜好ましい量で添加すればよいが、２〜７０ｗ／ｖ％の過酸化水素水として添加することが好ましく、３０〜７０ｗ／ｖ％の過酸化水素水として添加することがより好ましい。
【００５６】
また、フェントン反応の効率を高めるため、汚水のｐＨは、好ましくは１〜５、より好ましくは１〜３に調整することが望ましい。ｐＨを調整するため、たとえば硫酸、硝酸、塩酸などを添加する。また、上記イオン交換樹脂の酸化分解処理を行っている間中、ｐＨを上記範囲になるよう調整することが好ましい。さらに、廃水を予めｐＨ調整してから反応槽に供給してもよい。
【００５７】
実施形態２では、廃水中に、鉄（ＩＩ）塩（ａ1）におけるＦｅ2+に対して、上記異種のアニオンを１．５倍当量以上の量で、好ましくは２〜１００倍当量、より好ましくは２〜５０倍当量の量で異種のアニオンを存在させる。なお、この異種アニオンとしては、カチオン交換樹脂の酸化分解により生成する酸性基由来のアニオンのほか、鉄（ＩＩ）塩（ａ1）から生成する異種アニオンも含まれる（ただし、ｐＨを調整するために添加した硫酸などから生成するアニオンは含めない）。ここで、廃水中の固体の濃度、カチオン交換樹脂およびアニオン交換樹脂の割合、鉄（ＩＩ）塩（ａ1）の量が上記範囲内となっていることにより、廃水中でのこれらの異種アニオンの合計量も上記範囲内に調整できる。
【００５８】
実施形態２では、廃水中に異種アニオンが存在し、Ｆｅ2+および／またはＦｅ3+から形成される化合物、すなわちＦｅ（ＯＨ）3の沈殿が防止できるため、上記イオン交換樹脂の酸化処理を長時間持続できる。上記濃度でイオン交換樹脂を含む廃水であれば、通常５〜１０時間処理を行うと充分にイオン交換樹脂が分解できるが、実施形態２によれば、この間スラッジの沈殿が抑えられるため、効率よく廃水処理が行える。また、実施形態２によれば、酸化分解したいカチオン交換樹脂が、異種イオンの供給源ともなる利点がある。なお、実施形態２では、上記イオン交換樹脂の酸化分解開始時には、廃水中に異種のアニオンとしての酸性基由来のアニオンは生成していないが、フェントン反応によりカチオン交換樹脂が酸化分解するにつれて速やかに酸性基由来のアニオンが生成する。このように酸性基由来のアニオンがある程度の量で生成するときまでは、Ｆｅ（ＯＨ）3および酸化鉄の沈殿は、イオン交換樹脂の酸化分解に問題となるほどには通常起こらない。
【００５９】
なお、廃水、過酸化水素およびＦｅ2+を生成し得る鉄（ＩＩ）塩（ａ1）は、上述のように反応槽に一度に供給してもよいが、複数回に分けて供給したり、連続的に供給したりしてもよい。この場合も、イオン交換樹脂、過酸化水素およびＦｅ2+を生成し得る鉄（ＩＩ）塩（ａ1）それぞれの合計量が上記の量となるように供給されることが好ましい。
【００６０】
ところで、カチオン交換樹脂およびアニオン交換樹脂の割合や、廃水中のカチオン交換樹脂が有する酸性基の量などによっては、廃水中に異種アニオンを上記範囲の量で存在させることができない場合もあり得る。この場合は、反応槽に使用済みのカチオン交換樹脂およびアニオン交換樹脂を含む廃水を供給し、さらに過酸化水素と、Ｆｅ2+を生成し得る鉄（ＩＩ）塩（ａ1）とを添加するとともに、実施形態１で用いた異種のアニオンを生成し得る化合物（Ｂ）を添加してもよい。このようにして、汚水中での異種アニオンの量を調整してもよい。
【００６１】
また、異種のアニオンを生成し得る化合物（Ｂ）を併用する場合は、上記オン交換樹脂の酸化処理を開始する前に、過酸化水素およびＦｅ2+を生成し得る鉄（ＩＩ）塩（ａ1）とともに反応槽に添加してもよいが、上記沈殿物の生成がイオン交換樹脂の酸化分解に対して問題とならない状態を維持できるのであれば、上記イオン交換樹脂の酸化処理を開始してから添加してもよい。また、異種のアニオンを生成し得る化合物（Ｂ）は、上述のように反応槽に一度に供給してもよいが、上記沈殿物の生成がイオン交換樹脂の酸化分解に対して問題とならない状態を維持できるのであれば、複数回に分けて供給したり、連続的に供給したりしてもよい。いいかえると、少なくとも上記オン交換樹脂の酸化処理を終了する前に、上記異種のアニオンが上記の量で存在するように添加されればよい。
【００６２】
＜その他の実施形態＞
実施形態１、２において、鉄（ＩＩ）塩（ａ1）の代わりに銅（Ｉ）塩（ａ2）を用いてもよい。この場合のフェントン反応は、下記式（３）で表わされる。
【００６３】
Ｈ2Ｏ2  ＋  Ｃｕ+  →  Ｃｕ2+  ＋  ＯＨ-  ＋  ・ＯＨ
また、実施形態１、２において、有機化合物を酸化分解処理した後の廃水に、さらに、Ｆｅ2+および／またはＦｅ3+を除去するための処理を行ってもよい。
【００６４】
実施形態１において、染料を含む染色排水の代わりに、難分解性の有機化合物を含む畜産廃水や、窒素やリンを有する有機化合物を含む生活排水を用いてもよく、また、ベンゼン、トルエン、ホルムアルデヒド等の健康を害する恐れのある揮発性有機化合物（ＶＯＣ）を含む地下水などを用いてもよい。いずれの場合も、フェントン反応に用いる金属イオン触媒の沈殿を防ぎ、このような有機物化合物を効率的かつ持続的に分解できる。
【００６５】
本発明は、以下に関する。
【００６６】
［１］  有機化合物を含む汚水に、過酸化水素と、フェントン反応を起こすための金属イオン（Ｉ1）を生成し得る化合物（Ａ）とを添加し、フェントン反応により生成するラジカルにより上記有機化合物を酸化分解する有機化合物の処理方法であって、上記汚水に、上記過酸化水素と金属イオン（Ｉ1）との反応で生じた金属イオン（Ｉ2）が金属塩を形成して沈殿する際に化合するカウンターアニオンとは異種のアニオンを生成し得る化合物（Ｂ）を添加し、上記汚水中に、上記汚水に添加した上記化合物（Ａ）における金属イオン（Ｉ1）に対して、上記異種のアニオンを１．５倍当量以上の量で存在させて、上記金属イオン（Ｉ1）および／または金属イオン（Ｉ2）から形成される化合物の沈殿を防止する工程を含むことを特徴とする有機化合物の処理方法。
【００６７】
上記化合物の沈殿を防止する工程を含むため、沈殿物の生成が抑制されて、有機物化合物を効率的かつ持続的に分解できる。
【００６８】
［２］  上記フェントン反応を起こすための金属イオン（Ｉ1）を生成し得る化合物（Ａ）が、Ｆｅ2+を生成し得る鉄（ＩＩ）塩（ａ1）であり、上記フェントン反応により生成するラジカルがヒドロキシラジカルであることを特徴とする［１］に記載の処理方法。
【００６９】
Ｆｅ2+を生成し得る鉄（ＩＩ）塩（ａ1）を用いたフェントン反応により、有機物化合物を効率的かつ持続的に分解できる。
【００７０】
［３］  上記過酸化水素と、フェントン反応を起こすための金属イオン（Ｉ1）を生成し得る化合物（Ａ）とを添加した有機化合物を含む汚水のｐＨを１〜５に調整し、フェントン反応により生成するラジカルにより上記有機化合物を酸化分解することを特徴とする［１］または［２］に記載の処理方法。
【００７１】
汚水のｐＨを上記範囲にすることにより、ヒドロキシラジカルを効率よく発生できる。
【００７２】
［４］  上記有機化合物を含む汚水が、酸性基を有するカチオン交換樹脂およびアニオン交換樹脂を含む廃水であり、上記有機化合物である上記酸性基を有するカチオン交換樹脂が、上記異種のアニオンを生成し得る化合物（Ｂ）と同一であり、ヒドロキシラジカルにより酸化分解されて、上記異種のアニオンとして酸性基由来のアニオンを生成し得るカチオン交換樹脂であることを特徴とする［１］〜［３］のいずれか１つに記載の有機化合物の処理方法。
【００７３】
酸性基を有するカチオン交換樹脂が酸化分解するにつれて生成する異種アニオンにより、沈殿物の生成が抑制されて、有機物化合物を効率的かつ持続的に分解できる。
【００７４】
［５］  上記有機化合物を含む汚水が、染料を含む染色排水であり、上記異種のアニオンを生成し得る化合物（Ｂ）が、硫酸塩、硝酸塩、塩化物塩および炭酸塩の少なくとも１種を含むことを特徴とする［１］〜［３］のいずれか１つに記載の有機化合物の処理方法。
【００７５】
化合物（Ｂ）が生成する異種アニオンにより、沈殿物の生成が抑制されて、有機物化合物を効率的かつ持続的に分解できる。
【００７６】
［６］  上記異種のアニオンを生成し得る化合物（Ｂ）が、硫酸塩、硝酸塩、塩化物塩および炭酸塩の少なくとも１種を含むことを特徴とする［１］〜［３］のいずれか１つに記載の処理方法。
【００７７】
［７］  上記異種のアニオンを生成し得る化合物（Ｂ）が、スルホ基、ニトロ基、クロロ基およびカルボキシル基の少なくとも１種を有する有機化合物を含むことを特徴とする［１］〜［３］のいずれか１つに記載の処理方法。
【００７８】
これらの化合物（Ｂ）によれば、異種アニオンが速やかに生成し、沈殿物の生成が抑制されて、有機物化合物を効率的かつ持続的に分解できる。
【００７９】
［実施例］
以下、本発明について実施例を挙げて説明するが、本発明はこれらに限定されるものではない。
【００８０】
［実施例１］
染料として、ダイスター社製のレバフィックスターコイズブルー  Ｅ−ＢＡ（Ｌｅｖａｆｉｘ  Ｔｕｒｑｕｏｉｓｅ  Ｂｌｕｅ  Ｅ−ＢＡ）を１．６ｇ／Ｌ含有する染色廃液（ＣＯＤ約９００ｍｇ／Ｌ）に対して、以下の条件でフェントン反応による分解試験を行った。即ち、染色廃液１Ｌに対して、フェントン試薬として硫酸第一鉄七水和物塩６．０ｇと、３５％過酸化水素水１８ｇと、異種アニオンの供給剤として硫酸ナトリウム１０ｇとを添加し、温度２５〜３０℃、ｐＨ＝２．３の条件で１時間の分解試験を行った。前記の分解試験の実施の前後において、廃液の透過率の変化と廃液中の鉄イオン濃度の変化を測定した。ただし、原液の透過率は０％である。透過率は、ベックマンコールター社製紫外・可視分光光度計ＤＵ  ７３０により、波長６２５ｎｍで測定し、鉄イオン濃度は、エスアイアイナノテクノロジー社製ＩＣＰ発光分光分析装置ＳＰＳ５５２０で測定した。
【００８１】
なお、ｐＨの調整は、０．５ｍｏｌ／Ｌ硫酸水溶液により行い、廃液のｐＨは、堀場製作所製ｐＨメータＦ−５１を用いて測定した。また、実施例１では、硫酸第一鉄七水和物塩および硫酸ナトリウムに由来する異種アニオン（硫酸イオン）は、廃液中に硫酸第一鉄七水和物塩のＦｅ2+に対して、４．５倍当量の量で存在していた。
【００８２】
［比較例１］（従来法）
染料として、ダイスター社製のレバフィックスターコイズブルー  Ｅ−ＢＡ（Ｌｅｖａｆｉｘ  Ｔｕｒｑｕｏｉｓｅ  Ｂｌｕｅ  Ｅ−ＢＡ）を１．６ｇ／Ｌ含有する染色廃液に対して、以下の条件でフェントン反応による分解試験を行った。即ち、染色廃液１Ｌに対して、フェントン試薬として硫酸第一鉄七水和物塩６．０ｇと、３５％過酸化水素水１８ｇとを添加し、温度２５〜３０℃、ｐＨ＝２．３の条件で１時間の分解試験を行った。ただし、原液の透過率は０％である。透過率および鉄イオン濃度の変化は、実施例１と同様の方法で測定した。
【００８３】
なお、ｐＨの調整は、０．５ｍｏｌ／Ｌ硫酸水溶液により行い、廃液のｐＨは、堀場製作所製ｐＨメータＦ−５１を用いて測定した。また、比較例１では、硫酸第一鉄七水和物塩に由来する異種アニオン（硫酸イオン）が、廃液中に硫酸第一鉄七水和物塩のＦｅ2+に対して、１倍当量の量で存在していた。
【００８４】
以上のようにして得られた実施例１および比較例１における透過率および鉄イオン濃度の測定結果は、表１に示す通りである。
【００８５】
【表１】
2012005996.tif 000002
【００８６】
［実施例２−１］
染料として、ダイスター社製のレバフィックスターコイズブルー  Ｅ−ＢＡ（Ｌｅｖａｆｉｘ  Ｔｕｒｑｕｏｉｓｅ  Ｂｌｕｅ  Ｅ−ＢＡ）を１．６ｇ／Ｌ含有する染色廃液に対して、以下の条件でフェントン反応による分解試験を行った。即ち、染色廃液１Ｌに対して、フェントン試薬として硫酸第一鉄七水和物塩６．０ｇと、３５％過酸化水素水１８ｇと、異種アニオンの供給剤として硫酸ナトリウム１．５ｇとを添加し、温度２５〜３０℃、ｐＨ＝２．０の条件で１時間の分解試験を行った。前記の分解試験の実施の前後において、廃液の透過率の変化と廃液中の鉄イオン濃度の変化を測定した。ただし、原液の透過率は０％である。透過率は、ベックマンコールター社製紫外・可視分光光度計ＤＵ  ７３０により、波長６２５ｎｍで測定し、鉄イオン濃度は、エスアイアイナノテクノロジー社製ＩＣＰ発光分光分析装置ＳＰＳ５５２０で測定した。
【００８７】
なお、ｐＨの調整は、０．５ｍｏｌ／Ｌ硫酸水溶液により行い、廃液のｐＨは、堀場製作所製ｐＨメータＦ−５１を用いて測定した。また、実施例２では、硫酸第一鉄七水和物塩および硫酸ナトリウムに由来する異種アニオン（硫酸イオン）は、廃液中に硫酸第一鉄七水和物塩のＦｅ2+に対して、１．５倍当量の量で存在していた。
【００８８】
［実施例２−２〜２−５］
実施例２−２〜２−５は、染色廃液１Ｌに対して、異種アニオンの供給剤として硫酸ナトリウム１．５ｇを用いる変わりに、硫酸ナトリウム３．０ｇ、６．０ｇ、１２ｇまたは１８ｇを用いた以外は、実施例２−１と同様に行った。
【００８９】
実施例２−２〜２−５では、硫酸第一鉄七水和物塩および硫酸ナトリウムに由来する異種アニオン（硫酸イオン）は、廃液中に硫酸第一鉄七水和物塩のＦｅ2+に対して、２、３、５または７倍当量の量で存在していた。
【００９０】
また、実施例２−１〜２−５では、分解試験の実施後において、廃液の透過率は、９９％であった。
【００９１】
［比較例２］（従来法）
染料として、ダイスター社製のレバフィックスターコイズブルー  Ｅ−ＢＡ（Ｌｅｖａｆｉｘ  Ｔｕｒｑｕｏｉｓｅ  Ｂｌｕｅ  Ｅ−ＢＡ）を１．６ｇ／Ｌ含有する染色廃液に対して、以下の条件でフェントン反応による分解試験を行った。即ち、染色廃液１Ｌに対して、フェントン試薬として硫酸第一鉄七水和物塩６．０ｇと、３５％過酸化水素水１８ｇとを添加し、温度２５〜３０℃、ｐＨ＝２．３の条件で１時間の分解試験を行った。ただし、原液の透過率は０％である。透過率および鉄イオン濃度の変化は、実施例２−１と同様の方法で測定した。
【００９２】
比較例２では、硫酸第一鉄七水和物塩に由来する異種アニオン（硫酸イオン）は、廃液中に硫酸第一鉄七水和物塩のＦｅ2+に対して、１倍当量の量で存在していた。
【００９３】
以上のようにして得られた実施例２−１〜２−５および比較例２における鉄イオン濃度の測定結果は、図１に示す通りである。なお、図１におけるプロットは、左から順に、比較例２、実施例２−１〜２−５の結果を表している。
【００９４】
［実施例３］
染料として、ダイスター社製のレバフィックスターコイズブルー  Ｅ−ＢＡ（Ｌｅｖａｆｉｘ  Ｔｕｒｑｕｏｉｓｅ  Ｂｌｕｅ  Ｅ−ＢＡ）を１．６ｇ／Ｌ含有する染色廃液に対して、以下の条件でフェントン反応による分解試験を行った。即ち、染色廃液１Ｌに対して、フェントン試薬として硫酸第一鉄七水和物塩６．０ｇと、３５％過酸化水素水１８ｇと、異種アニオンの供給剤として硝酸ナトリウム１７ｇとを添加し、温度２５〜３０℃、ｐＨ＝２．３の条件で２時間の分解試験を行った。前記の分解試験の実施の前後において、廃液の透過率の変化と廃液中の鉄イオン濃度の変化を測定した。ただし、原液の透過率は０％である。透過率は、ベックマンコールター社製紫外・可視分光光度計ＤＵ  ７３０により、波長６２５ｎｍで測定し、鉄イオン濃度は、エスアイアイナノテクノロジー社製ＩＣＰ発光分光分析装置ＳＰＳ５５２０で測定した。
【００９５】
なお、ｐＨの調整は、０．５ｍｏｌ／Ｌ硫酸水溶液により行い、廃液のｐＨは、堀場製作所製ｐＨメータＦ−５１を用いて測定した。また、実施例３では、硫酸第一鉄七水和物塩および硝酸ナトリウムに由来する異種アニオン（硫酸イオンおよび硝酸イオン）は、廃液中に硫酸第一鉄七水和物塩のＦｅ2+に対して、１１倍当量の量で存在していた。
【００９６】
［比較例３］（従来法）
染料として、ダイスター社製のレバフィックスターコイズブルー  Ｅ−ＢＡ（Ｌｅｖａｆｉｘ  Ｔｕｒｑｕｏｉｓｅ  Ｂｌｕｅ  Ｅ−ＢＡ）を１．６ｇ／Ｌ含有する染色廃液に対して、以下の条件でフェントン反応による分解試験を行った。即ち、染色廃液１Ｌに対して、フェントン試薬として硫酸第一鉄七水和物塩６．０ｇと、３５％過酸化水素水１８ｇとを添加し、温度２５〜３０℃、ｐＨ＝２．３の条件で２時間の分解試験を行った。ただし、原液の透過率は０％である。透過率および鉄イオン濃度の変化は、実施例３と同様の方法で測定した。
【００９７】
なお、ｐＨの調整は、０．５ｍｏｌ／Ｌ硫酸水溶液により行い、廃液のｐＨは、堀場製作所製ｐＨメータＦ−５１を用いて測定した。また、比較例３では、硫酸第一鉄七水和物塩に由来する異種アニオン（硫酸イオン）は、廃液中に硫酸第一鉄七水和物塩のＦｅ2+に対して、１倍当量の量で存在していた。
【００９８】
以上のようにして得られた実施例３および比較例３における透過率および鉄イオン濃度の測定結果は、表２に示す通りである。
【００９９】
【表２】
2012005996.tif 000003
【０１００】
［実施例４］
染料として、ダイスター社製のレバフィックスターコイズブルー  Ｅ−ＢＡ（Ｌｅｖａｆｉｘ  Ｔｕｒｑｕｏｉｓｅ  Ｂｌｕｅ  Ｅ−ＢＡ）を１．６ｇ／Ｌ含有する染色廃液に対して、以下の条件でフェントン反応による分解試験を行った。即ち、染色廃液１Ｌに対して、フェントン試薬として硫酸第一鉄七水和物塩６．０ｇと、３５％過酸化水素水１８ｇと、異種アニオンの供給剤として硫酸マグネシウム七水和物２５ｇとを添加し、温度２５〜３０℃、ｐＨ＝２．３の条件で２時間の分解試験を行った。前記の分解試験の実施の前後において、廃液の透過率の変化と廃液中の鉄イオン濃度の変化を測定した。ただし、原液の透過率は０％である。透過率は、ベックマンコールター社製紫外・可視分光光度計ＤＵ  ７３０により、波長６２５ｎｍで測定し、鉄イオン濃度は、エスアイアイナノテクノロジー社製ＩＣＰ発光分光分析装置ＳＰＳ５５２０で測定した。
【０１０１】
なお、ｐＨの調整は、０．５ｍｏｌ／Ｌ硫酸水溶液により行い、廃液のｐＨは、堀場製作所製ｐＨメータＦ−５１を用いて測定した。また、実施例４では、硫酸第一鉄七水和物塩および硫酸マグネシウム七水和物に由来する異種アニオン（硫酸イオン）は、廃液中に硫酸第一鉄七水和物塩のＦｅ2+に対して、６倍当量の量で存在していた。
【０１０２】
［比較例４］（従来法）
染料として、ダイスター社製のレバフィックスターコイズブルー  Ｅ−ＢＡ（Ｌｅｖａｆｉｘ  Ｔｕｒｑｕｏｉｓｅ  Ｂｌｕｅ  Ｅ−ＢＡ）を１．６ｇ／Ｌ含有する染色廃液に対して、以下の条件でフェントン反応による分解試験を行った。即ち、染色廃液１Ｌに対して、フェントン試薬として硫酸第一鉄七水和物塩６．０ｇと、３５％過酸化水素水１８ｇとを添加し、温度２５〜３０℃、ｐＨ＝２．３の条件で２時間の分解試験を行った。ただし、原液の透過率は０％である。透過率および鉄イオン濃度の変化は、実施例４と同様の方法で測定した。
【０１０３】
なお、ｐＨの調整は、０．５ｍｏｌ／Ｌ硫酸水溶液により行い、廃液のｐＨは、堀場製作所製ｐＨメータＦ−５１を用いて測定した。また、比較例４では、硫酸第一鉄七水和物塩に由来する異種アニオン（硫酸イオン）は、廃液中に硫酸第一鉄七水和物塩のＦｅ2+に対して、１倍当量の量で存在していた。
【０１０４】
以上のようにして得られた実施例４および比較例４における透過率および鉄イオン濃度の測定結果は、表３に示す通りである。
【０１０５】
【表３】
2012005996.tif 000004
【０１０６】
［実施例５］
難分解性有機物であるアニオン交換樹脂（Ｃ12Ｈ18ＮＯＨ）６５ｇ／Ｌおよびカチオン交換樹脂（Ｃ8Ｈ7ＳＯ3Ｈ）５５ｇ／Ｌを含有する廃液に対して、以下の条件でフェントン反応による分解試験を行った。即ち、染色廃液１Ｌに対して、硫酸第一鉄七水和物塩５．６ｇを添加し、３５％過酸化水素水を１５０ｍｌ／ｈで連続供給しながら、温度９５〜１０５℃、ｐＨ＝１〜３の条件で８時間の分解試験を行った。前記の分解試験の実施の前後において、廃液中の有機炭素の分解率と鉄イオン濃度の変化を測定した。有機炭素の分解率は、島津製全有機体炭素計ＴＯＣ−５００Ａで測定し、鉄イオン濃度は、エスアイアイナノテクノロジー社製ＩＣＰ発光分光分析装置ＳＰＳ５５２０で測定した。また、硫酸イオン濃度は、ダイオネクス社製イオンクロマトグラフＩＣＳ−３０００で測定した。
【０１０７】
なお、ｐＨの調整は、６４％硫酸水溶液および２５％苛性ソーダ水溶液により行い、廃液のｐＨは、堀場製作所製ｐＨメータＦ−５１を用いて測定した。また、実施例５では、硫酸第一鉄七水和物塩、カチオン交換樹脂に由来する異種アニオン（硫酸イオン）は、廃液中に硫酸第一鉄七水和物塩のＦｅ2+に対して、試験前は１倍当量の量で存在しており、試験終了時は８倍当量の量で存在していた。このように、試験中に、カチオン交換樹脂の酸化分解により、スルホン酸基（−ＳＯ3-）由来の硫酸イオンが生成したと考えられる。
【０１０８】
［実施例６］
難分解性有機物であるアニオン交換樹脂（Ｃ12Ｈ18ＮＯＨ）６０ｇ／Ｌおよびカチオン交換樹脂（Ｃ8Ｈ7ＳＯ3Ｈ）６０ｇ／Ｌを含有する廃液に対して、以下の条件でフェントン反応による分解試験を行った。即ち、染色廃液１Ｌに対して、硫酸第一鉄七水和物塩５．６ｇを添加し、３５％過酸化水素水を１５０ｍｌ／ｈで連続供給しながら、温度９５〜１０５℃、ｐＨ＝１〜３の条件で８時間の分解試験を行った。前記の分解試験の実施の前後において、廃液中の有機炭素の分解率と鉄イオン濃度の変化を測定した。有機炭素の分解率は、島津製全有機体炭素計ＴＯＣ−５００Ａで測定し、鉄イオン濃度は、エスアイアイナノテクノロジー社製ＩＣＰ発光分光分析装置ＳＰＳ５５２０で測定した。また、硫酸イオン濃度は、ダイオネクス社製イオンクロマトグラフＩＣＳ−３０００で測定した。
【０１０９】
なお、ｐＨの調整は、６４％硫酸水溶液および２５％苛性ソーダ水溶液により行い、廃液のｐＨは、堀場製作所製ｐＨメータＦ−５１を用いて測定した。また、実施例６では、硫酸第一鉄七水和物塩、カチオン交換樹脂に由来する異種アニオン（硫酸イオン）は、廃液中に硫酸第一鉄七水和物塩のＦｅ2+に対して、試験前は１倍当量の量で存在しており、試験終了時は８．５倍当量の量で存在していた。このように、試験中に、カチオン交換樹脂の酸化分解により、スルホン酸基（−ＳＯ3-）由来の硫酸イオンが生成したと考えられる。
【０１１０】
［比較例５］（従来法）
難分解性有機物であるアニオン交換樹脂（Ｃ12Ｈ18ＮＯＨ）１３０ｇ／Ｌを含有する廃液に対して、以下の条件でフェントン反応による分解試験を行った。即ち、染色廃液１Ｌに対して、硫酸第一鉄七水和物塩５．６ｇを添加し、３５％過酸化水素水を１８０ｍｌ／ｈで連続供給しながら、温度９５〜１０５℃、ｐＨ＝１〜３の条件で８時間の分解試験を行った。廃液中の有機炭素分解率および鉄イオン濃度の変化は、実施例５と同様の方法で測定した。
【０１１１】
なお、ｐＨの調整は、６４％硫酸水溶液および２５％苛性ソーダ水溶液により行い、廃液のｐＨは、堀場製作所製ｐＨメータＦ−５１を用いて測定した。また、比較例５では、試験前および試験終了時ともに、硫酸第一鉄七水和物塩に由来する異種アニオン（硫酸イオン）が、廃液中に硫酸第一鉄七水和物塩のＦｅ2+に対して、１倍当量の量で存在していた。
【０１１２】
以上のようにして得られた実施例５、６および比較例５における有機炭素分解率および鉄イオン濃度の測定結果は、表４に示す通りである。
【０１１３】
【表４】
2012005996.tif 000005
【０１１４】
上記実施例の結果から明らかなように、本発明では、有機化合物の分解を行った後でも、鉄イオン濃度があまり減少せず、沈殿物の生成が抑えられているため、有機物化合物を効率的かつ持続的に分解できることが分かる。
【０１１５】
なお、実施例で測定した鉄イオン濃度はＦｅ2+のほかＦｅ3+を合計した濃度である。このため、本発明の実施例では、Ｆｅ2+ではなくＦｅ3+の状態であっても沈殿せずに汚水中に存在していることが分かる。このＦｅ3+は上記式（１−１）〜（１−５）により再びＦｅ2+に変換され、さらに上記式（１）により新たなヒドロキシラジカルを発生できると考えられる。したがって、本発明の実施例では、さらに汚水を追加して、その中の有機物化合物を持続的に分解することも可能である。
【産業上の利用可能性】
【０１１６】
本発明によれば、生活排水および工業廃水に含まれる有機物化合物を酸化分解し無害化することができる。また、本発明は、繊維・染物産業の染色排水および畜産排水の酸化分解による脱色処理や、使用済みイオン交換樹脂等の難分解性有機物の酸化分解による処理にも適用できる。さらに、揮発性有機化合物（ＶＯＣ）を酸化分解し無害化することができる。
【図１】
2012005996.tif 000006